【事件の表示】
　平成　７年特許願第３２６１４７号「給気噴霧式の小型加湿器」拒絶査定に対する審判事件［平成　９年　５月２７日出願公開、特開平　９−１３７９７８］について、次のとおり審決する。
【結　論】
　本件審判の請求は、成り立たない。
【理　由】
１．手続の経緯・本願発明
　本願は、平成７年１１月１０日の出願であり、平成１１年１１月８日付け手続補正は当審において却下されたので、本願の請求項１〜３に係る発明は願書に最初に添付された明細書の特許請求の範囲の請求項１〜３に記載された「小型加湿器」にあると認められるところ、その請求項１に係る発明（以下「本願発明」という。）は次のとおりのものである。
　
「１）ノズルケーシング１０Ａと、ノズルケーシング内の下半部に収容される液水タンク１８と、ノズルケーシング１０Ａの上部に配設されるノズル部１１と、液水タンク１８内に配設され、液水タンク１８内の液水量に応じて変位するフロート２８と、フロート２８の変位に応動し、外部からの給液路を開閉する弁体とを備え、ノズル部１１は複数個の噴霧ノズル１１Ａを装着可能な装着部１３と、給気□１４および給気□１４に連通し装着部１３に達する内部給気路１５と、液水タンク１８に接続されたサイホン管１９に連通し装着部１３に達する内部給液路１６とを具備し、噴霧ノズル１１は内部給気路１５並びに内部給液路１６と連通し、給気の外部への送出に伴い内部給液路内の液水を装着部１３方向へ吸引して気液を衝突・混合し噴霧可能に設けられてなる給気噴霧式の小型加湿器。」
　
２．先願発明
　これに対して、原査定の拒絶の理由に引用された、本願の出願の日前の他の出願であって、その出願後に出願公開された特願平７−８０２２５号（特開平８−２７８０４７号）の願書に最初に添付された明細書または図面（以下「先願明細書」という。）には、以下の事項が記載されている。　
　
「【００１７】‥‥図１乃至図９は第１実施例を示し、該加湿器２０はケ−シング２１の上蓋２２にカバー２３を取り付けたタイプである。ケーシング２１は上面開口の略円筒型のケーシング本体２４の上面開□を上記上蓋２２で閉鎖する構成している。上蓋２２にはアダプタ２６、吸液パイプ２７、液体導入管２８、止水弁装置２９および止水レバー３０を取り付けており、該上蓋２２をケーシング本体２４と組みつけ、カバー２３をかぶせることにより、加湿器２０が組立られる。よって、ケ−シング本体２４をカバ−１３と共に上蓋２２と分離すると、ケ−シング本体２４内にはフ口−ト３１だけが収容されている状態で取り出され、ケ−シング本体２４の内部の貯水室２５の清浄化等のメンテナンスが容易に出来るようにしている。」（発明の詳細な説明の段落【００１７】）、
「【００２１】上記アダプタ２６は図３に示すように、中央部に軸芯部２６ａを備え、該軸芯部の外周から９０度間隔をあけて４方向に延在するノズル取付部２６ｂを設け、各ノズル取付部２６ｂの先端にノズルチップ３３を対向して配置した二流体ノズル３５を着脱自在に取り付けている。
【００２２】詳しくは、上記軸芯部２６ａの上部には圧搾空気導入管部２６ｃを上向きに突出させて設け、上端の導入口より内周面にかけて取付ネジ２６ｄを刻設していると共に、外周面に吊下具嵌合用の円環形状の溝２６ｅを設けている。圧搾空気導入管部２６ｃの下端開口は各ノズルチップ取付部２６ｂに形成した４つの空気通路２６ｆの一端に連通させている。一方、軸芯部２６ａの下部に底面側に開口する吸液孔２６ｇを設け、該吸液孔２６ｇの上端周緑に各ノズル取付部２６ｂに形成した４つの液体通路２６ｈの一端を連通させている。該吸液孔２６ｇの下端開口は上蓋２２にアダプタ２６をビス３６で固定した時に貫通孔２２ａと一致させ、貫通孔２２ａに上端部を挿入して固定する吸液パイプ２７と上記各液体通路２６ｈとを連通させている。」（発明の詳細な説明の段落【００２１】、【００２２】）、
「【００３２】上記貫通孔２３ｂから突出するアダプタ２６の圧搾空気導入管部２６ｃには、図８に示すように、圧搾空気供給管５０の下端部を挿入して取付ネジ２６ｄと螺合して連結し、液体導入管２８には液体供給管５１の下端部を挿入して取付ネジ２８ｄと螺合して連結するようにしている。上記圧搾空気供給管５０および液体供給管５１はぞれぞれ水平方向に配管される本管５２、５３より下向きに分岐させたものである。」（発明の詳細な説明の段落【００３２】）、
「【００３４】‥‥圧搾空気供給５０は本管５２に減圧弁７５を介して接続され、本管５２はエアフィルタ７６、コントロールボックス７７等を介設して圧搾空気源に接続している。‥‥
【００３５】‥‥噴射時には、圧搾空気供給用の本管５２および枝管の供給管５０から常時圧搾空気を供給する。各加湿器２０では、アダプタ２６の圧搾空気導入部２６ｃを通してノズル取付部２６ｂの空気通路２６ｆに圧搾空気が流入する。一方、液体（水）は吸液パイプ２７により貯水室２５の底部中心よりアダプタ２６の吸液孔２６ｇに吸い上げ、液体通路２６ｈに流入する。
【００３６】二流体ノズル３５では圧搾空気と水とを混合し、圧搾空気およびノズル形状により液滴を微粒化して、ノズルチップ３３の噴口より超微粒噴霧を発生させる。‥‥
【００３７】‥‥貯水室２５内に溜まっている液量が減少してフロート３１が下降すると、止水レバー３０が回転して止水弁４０を移動し、針弁４０ｃが液体流路２９ｂを開いて貯水室２５内に水を導入する。
【００３８】貯水室２５内へ水が導入されてフロ−ト３１が上昇すると、止水レバー３０が逆方向に回転して針弁４０ｃが液体流路２９ｂを閉じて止水する。‥‥」（発明の詳細な説明の段落【００３４】〜【００３８】）及び、
「【００４２】図１１は第２実施例を示し、カバー２３を除いたタイプである。該第２実施例の他の構成は第１実施例と同一であるため、同一符号を付して説明を省略する。また、カバー２３を取り付けていないため、上蓋２２の上面に取り付けるアダプタ２６、液体導入管２８が露出しているが、作用上は第１実施例と同一であり、説明を省略する。‥‥」（発明の詳細な説明の段落【００４２】）。
　
３．対比・判断                                   
　　本願発明と上記先願明細書に記載された発明（以下「先願発明」という。）を対比すると、先願明細書の第１実施例（図１〜９参照）における「カバー２３、アダプタ２６及びケーシング本体２４」、「貯水室２５」、「アダプタ２６」、「止水弁４０」、「二流体ノズル３５」、「ノズル取付部２６ｂ」、「圧搾空気供給管５０および本管５２」、「減圧弁７５」、「圧搾空気導入管部２６ｃ」、「空気通路２６ｆ」、「液体通路２６ｈ」、「吸液パイプ２７」はそれぞれ本願発明の「ノズルケーシング」、「液水タンク」、「ノズル部」、「外部からの給液路を開閉する弁体」、「噴霧ノズル」、「装着部」、「給気ライン」、、「給気レギュレータ」、「給気口」、「内部給気路」、「内部給液路」、「サイホン管」に相当する。また、先願明細書には、第２実施例（図１１参照）としてカバー２３を除いた点以外は第１実施例と同一構成の加湿器についても記載されている。
　したがって、先願明細書には本願発明と同一の発明が記載されている。
　
４．むすび
　以上のとおりであるから、本願の請求項１に係る発明は、その出願の日前の特許出願であって、その出願後に出願公開がされた上記特許出願の願書に最初に添付された明細書又は図面に記載された発明と同一であり、しかも、この出願の発明者がその出願前の特許出願に係る上記の発明をした者と同一ではなく、またこの出願のときにおいて、その出願人が上記特許出願の出願人と同一でもないので、特許法第２９条の２の規定により特許を受けることができない。
　
　よって、結論のとおり審決する。